(57)【要約】      （修正有）【課題】掻き残しが殆ど無く、水滴などを均一に掻き取ることができ、取手を握る手の負担も小さい水切り具を提供する。【解決手段】水切り具１０は、細長い基体１１と弓型の取手１２とを備え、基体１１の下面には水切り面に押し当てられるゴム材のブレード１３が長手方向に沿って設けられており、一方、基体１１の上側には取手１２が設けられており、取手１２の両側端は基体１１の両側部に固定されており、取手１２の弓型による弾性によって基体１１の長手方向に外向きの張力が加えられることを特徴とし、好ましくは基体１１の長手方向に沿って板バネ１４が設けられている。【選択図】図１
0003202434.tif 000002
【実用新案登録請求の範囲】
【請求項１】
細長い基体と、弓型の取手とを備え、該基体の下面には水切り面に押し当てられるゴム材のブレードが長手方向に沿って設けられており、一方、該基体の上側には上記取手が設けられており、該取手の両側端は該基体の両側部に固定されており、該取手の弓型による弾性によって上記基体の長手方向に外向きの張力が加えられることを特徴とする水切り具。
【請求項２】
基体の長手方向に沿って板バネが設けられており、該板バネの弾性を受けるようにブレードが装着されており、該板バネの弾性によってブレードの水切り面に対する押圧が均一化される請求項１に記載する水切り具
【請求項３】
ブレードが基体の長手方向に沿って複数列に設けられている請求項１または請求項２の何れかに記載する水切り具。
【請求項４】
取手の両端が基体の両側端に着脱自在に固定されている請求項１〜請求項３の何れかに記載する水切り具。
【請求項５】
取手の弓型中央部に把持部が設けられている請求項１〜請求項４の何れかに記載する水切り具。
【考案の詳細な説明】
【技術分野】
【０００１】
本考案は水切り効果に優れた水切り具に関し、具体的には、水切り面上の掻き残しが殆ど無く、水滴などを均一に掻き取ることができ、取手を握る手の負担も小さい水切り具に関する。
【背景技術】
【０００２】
窓ガラスに付着した水滴などを拭き取る用具が従来から知れている。例えば、実用新案登録第３０５９６２９号公報（特許文献１）には、板材を二つ折りにした状態の支持体と、該支持体の間に装入されている吸収体と、該支持体の端縁に設けられたヘラとを有する水切りヘラが記載されている。しかし、この水切り用具のヘラの部分は、板状の支持体の端縁に固定されているので、彎曲しているガラス面に対してはヘラの接触面積が限られるために拭き残しが多くなる。また、水切り用具をガラス面に押し当てたときに、支持体を握っている手にガラス面の抵抗が直に伝わるので負担が大きいなどの問題がある。
【０００３】
特開平９−２６２１９３号公報（特許文献２）には、本体ケースの長手方向に沿って配置された軟質のクッション体と、該クッション体と被清掃面（ガラス面など）との間に介在される払拭布と、該払拭布を繰り出す手段とを備えたガラス拭き具が記載されている。このガラス拭き具は軟質のクッション体が用いられているが、該ガラス拭き具をガラス面に押し当てたときに、クッション体が部分的に縮むものの押圧力は十分に均一化されないので拭き残しがある。
【０００４】
特開平１１−３４６９６２号公報（特許文献３）には、把持部と該把持部先端にほぼＴ字状に形成されたブレード支持部と、該支持部のブレードとを備え、ブレードは把持部と ほぼ平行に突出する第一ブレード片と、把持部に対して所定の角度で突出する第二のブレード片とを備えたガラス拭きが記載されている。
また、特開２００２−２０９８００号公報（特許文献４）には、ガラス面に押し当てられるワイパ−を備え、該ワイパ−は細長い第１ワイパ−と、この第１ワイパ−と略平行な細長い第２ワイパ−を備え、第２ワイパ−の先端には、第２ワイパ−の長手方向に略直交する複数の舌片を備えたガラス拭き具が記載されている。
【０００５】
特許文献２〜４の水切り用具は何れも、ブレードが装着されている細長い基体の中央部に突設した棒状の取手を把持して使用するので、該用具をガラス面に押し当てたときに、押圧力が基体全体に分散されず均一化されないので、掻き残しを十分に防止することができない。また、取手を握る手の向きが基体に直交する状態になるので、手にかかる負担が大きいのなどの問題がある。
【先行技術文献】
【特許文献】
【０００６】
【特許文献１】実用新案登録第３０５９６２９号公報
【特許文献２】特開平９−２６２１９３号公報
【特許文献３】特開平１１−３４６９６２号公報
【特許文献４】特開２００２−２０９８００号公報
【考案の概要】
【考案が解決しようとする課題】
【０００７】
本考案は、従来の水切り用具における上記問題を解消したものであり、水切り面上の掻き残しが殆ど無く、水滴などを均一に掻き取ることができ、取手を握る手の負担も小さい水切り具を提供する。
【課題を解決するための手段】
【０００８】
本考案の水切り具は以下の構成を有する。
〔１〕細長い基体と、弓型の取手とを備え、該基体の下面には水切り面に押し当てられるゴム材のブレードが長手方向に沿って設けられており、一方、該基体の上側には上記取手が設けられており、該取手の両側端は該基体の両側部に固定されており、該取手の弓型による弾性によって上記基体の長手方向に外向きの張力が加えられることを特徴とする水切り具。
〔２〕基体の長手方向に沿って板バネが設けられており、該板バネの弾性を受けるようにブレードが装着されており、該板バネの弾性によってブレードの水切り面に対する押圧が均一化される上記[１]に記載する水切り具
〔３〕ブレードが基体の長手方向に沿って二列に設けられている上記[１]または上記[２]の何れかに記載する水切り具。
〔４〕取手の両端が基体の両側端に着脱自在に固定されている上記[１]〜上記[３]の何れかに記載する水切り具。
〔５〕取手の弓型中央部に把持部が設けられている上記[１]〜上記[４]の何れかに記載する水切り具。
【考案の効果】
【０００９】
本考案の水切り具は、取手が弓型であり、取手の両端が基体の両側部に固定されているので、取手を握って水切り具をガラス面など（水切り面）に押し当てたときに、弓型の弾性によって基体の長手方向に外向きの張力が加えられ、基体に装着されているブレードが長手方向に引っ張られた状態になり、ブレードが水切り面に均一に押し当てられる。この状態で水切り具をガラス面などに押し当てながら動かすとブレードが水切り面に密着して移動するので水切り面上の水滴を残らず均一に掻き取ることができる。
【００１０】
本考案の水切り具は、好ましくは、基体の長手方向に沿って板バネが設けられており、板バネの弾性を受けるようにブレードが装着されているので、該板バネの弾性によってブレードの水切り面に対する押圧が一層均一化され、水切り面が彎曲している場合でも、水切り面に対するブレードの密着性が良く、優れた水切り効果を得ることができる。
【００１１】
ブレードが基体の長手方向に沿って複数列（例えば二列）に設けられている態様では、一列目のブレードで掻き残った水滴があっても、二列目のブレードがこれを掻き取るので、水滴の掻き残しが無く、粘着性の汚れも確実に掻き取ることができる。
【００１２】
取手の両端が基体の両側端に着脱自在に固定されている態様では、使用状況に応じて取手を容易に交換できるので、作業環境に応じて水切り作業を容易に行うことができ、また取手が破損しても容易に交換することができる。また、取手の弓型中央部に把持部を有するものは、取手を持ち易くし、作業性を高めることができる。
【図面の簡単な説明】
【００１３】
【図１】本考案に係る水切り具の概略斜視図。
【図２】本考案に係る水切り具の概略側面図。
【図３】ブレードと板バネの接合構造を示す説明図
【図４】取手の中央に把持部を設けた態様を示す概略斜視図。
【図５】ブレードが二列の態様を示す部分斜視図。
【考案を実施するための形態】
【００１４】
〔実施例〕
本考案に係る水切り具の一例を図１および図２に示す。図示するように、水切り具１０は、細長い基体１１と、弓型の取手１２とを備えている。該基体１１は細長い箱型でもよく筒形でもよい。該基体１１の下面には水切り面に押し当てられるブレード１３が設けられている。該ブレード１３はゴム材によって形成されており、基体１１の長手方向に沿って設けられている。なお、ブレード１３のゴム材は弾性材であればよい。
【００１５】
弓型の取手１２は基体１１の上側に設けられており、該取手１２の両側端は基体１１の両側部（基体１１の両端部または両端部の近傍）に固定されている。取手１２の形状は弓型であるので、図２に示すように、弓型の弾性によって基体１１の両側部には長手方向に沿って外向きの張力が加えられ、基体１１に装着されているブレード１３が長手方向に引っ張られた状態に形成されている。このため、取手１２を握ってブレード１３を水切り面に押し当てたときに、押圧力がブレード１３の長手方向に均一に分散され、ブレード１３が水切り面に均一に密着する。この状態でブレード１３が水切り面を移動するので、水切り面上の水滴が残らず均一に掻き取られる。粘着性の水滴などの場合、水滴の抵抗があっても、取手の弓型の弾性によるブレードの張力と移動の動きが相まって水滴の抵抗に抗して該水滴を残らず均一に掻き取ることができる。
【００１６】
図示する例では、基体１１の長手方向に沿って板バネ１４が設けられており、該板バネ１４の弾性を受けるようにブレード１３が装着されている。具体的には、例えば、図３に示すように、板バネ１４の下面には開口部よりも溝底が広いアリ型溝２０が設けられており、ブレード１３の上面には上記アリ型溝２０と同形の断面を有する突条２１が設けられており、ブレード１３の突条２１が板バネ１４のアリ型溝２０に嵌着することよって、ブレード１３が板バネ１４に一体に取り付けられている。
【００１７】
図３に示すように、ブレード１３が板バネの弾性を受けるように装着されていることによって、板バネ１４の弾性によってブレード１３の水切り面に対する押圧がさらに均一化される。このため該板バネ１４の弾性、および取手１２の弓型の弾性によるブレード１３の張力によってブレード１３は水切り面に対してより一層密着し、ブレード１３の移動によって水切り面上の水滴が確実に掻き散られる。
【００１８】
本考案の水切り具１０は、好ましくは、取手１２の両端が基体１１の両側端に着脱自在に固定されている。具体的には、例えば、図２に示すように、取手１２の両端１２Ａ、１２Ｂはボルト１６Ａ、１６Ｂによって着脱自在に基体１１の両側部に固定されている。
【００１９】
本考案に係る水切り具１０について、取手１２の弓型中央に把持部１５を設けた態様を図４に示す。把持部１５の以外の構成は図１〜図３に示す構成と同じである。ゴム製またはプラスチック製の把持部１５を設けることによって、取手１２を持ち易くし、作業性を高めることができる。
【００２０】
本考案に係る水切り具１０は、ブレード１３を複数列に設けることができる。ブレード１３が二列に設けられている構成を図５に示す。ブレード１３の配列以外の構成は図１〜図４に示す構成と同じである。図示するように、ブレード１３は長手方法に沿ってブレード１３Ａとブレード１３Ｂとが二列に設けられている。この構成では、一列目のブレード１３Ａで掻き残った水滴があっても、二列目のブレード１３Ｂがこれを掻き取るので、水滴を確実に掻く取ることができ、水滴の掻き残しが無い。また、粘着性の汚れも確実に掻き取ることができる。
【符号の説明】
【００２１】
１０−水切り具、１１−基体、１２−取手、１２Ａ、１２Ｂ−取手両端、１３、１３Ａ、１３Ｂ−ブレード、１４−板バネ、１５−把持部、１６Ａ、１６Ｂ−ボルト、２０−アリ型溝、２１−突条。
【図１】
0003202434.tif 000003
【図２】
0003202434.tif 000004
【図３】
0003202434.tif 000005
【図４】
0003202434.tif 000006
【図５】
0003202434.tif 000007